(57)【特許請求の範囲】
【請求項１】
ユーザＩＤと当該ユーザＩＤで特定される利用者の現在地とをユーザ情報として格納したユーザ情報蓄積手段と、
送信者がメッセージを送信したい相手に異なる２方向から端末を向けて取得した２セットの位置情報と方位情報を受信し、前記位置情報が示す地理座標を通り前記方位情報が示す方位に伸びる２本の直線の交点の地理座標を求めて、前記ユーザ情報蓄積手段から前記交点の地理座標に近い現在地の利用者を示す第１ユーザＩＤを検索するユーザ特定手段と、
前記第１ユーザＩＤと前記送信者を示す第２ユーザＩＤとの組み合わせに対してセッションＩＤを生成し、第１，第２ユーザＩＤと前記セッションＩＤと当該セッションＩＤを送信先として指定されたメッセージを最後に受信した日時を示す最終更新日時情報を含むセッション情報をセッション情報蓄積手段に格納するセッション生成手段と、
前記セッションＩＤを送信先として指定されたメッセージを受信したときに、当該セッションＩＤを含む前記セッション情報を前記セッション情報蓄積手段から検索し、前記セッション情報に含まれる前記第１，第２ユーザＩＤのうち前記メッセージの送信者でないほうに当該メッセージを送信するとともに、前記セッション情報に含まれる前記最終更新日時情報を更新する情報送信手段と、
前記最終更新日時情報の示す日時が所定の期間以前の前記セッション情報を前記セッション情報蓄積手段から削除するセッション解放手段と、
を有することを特徴とする情報送信装置。
【請求項２】
コンピュータによる情報送信方法であって、
送信者がメッセージを送信したい相手に異なる２方向から端末を向けて取得した２セットの位置情報と方位情報を受信するステップと、
前記受信するステップで受信した２セットの位置情報と方位情報から、前記位置情報が示す地理座標を通り前記方位情報が示す方位に伸びる２本の直線の交点の地理座標を求めるステップと、
ユーザＩＤと当該ユーザＩＤで特定される利用者の現在地とをユーザ情報として格納したユーザ情報蓄積手段から前記交点の地理座標に近い現在地の利用者を示す第１ユーザＩＤを検索するステップと、
前記第１ユーザＩＤと前記送信者を示す第２ユーザＩＤとの組み合わせに対してセッションＩＤを生成し、第１，第２ユーザＩＤと前記セッションＩＤと当該セッションＩＤを送信先として指定されたメッセージを最後に受信した日時を示す最終更新日時情報を含むセッション情報をセッション情報蓄積手段に格納するステップと、
前記セッションＩＤを送信先として指定されたメッセージを受信したときに、当該セッションＩＤを含む前記セッション情報を前記セッション情報蓄積手段から検索し、前記セッション情報に含まれる前記第１，第２ユーザＩＤのうち前記メッセージの送信者でないほうに当該メッセージを送信するとともに、前記セッション情報に含まれる前記最終更新日時情報を更新するステップと、
前記最終更新日時情報の示す日時が所定の期間以前の前記セッション情報を前記セッション情報蓄積手段から削除するステップと、
を有することを特徴とする情報送信方法。
【請求項３】
請求項１に記載の情報送信装置の各手段としてコンピュータを動作させることを特徴とする情報送信プログラム。
【発明の詳細な説明】
【技術分野】
【０００１】
本発明は、近距離にいる送信相手に対して情報を送信する技術に関する。
【背景技術】
【０００２】
近距離無線通信技術（Ｎｅａｒ  Ｆｉｅｌｄ  Ｃｏｍｍｕｎｉｃａｔｉｏｎ）は、一般的に通信距離が数十メートル以内の無線通信技術のことである。近距離無線通信で用いられる通信規格の例として、Ｂｌｕｅｔｏｏｔｈ通信や無線ＬＡＮ（Ｗｉｆｉ）通信が挙げられる。現在では、携帯電話をはじめとする持ち運び可能な移動体通信端末の多くで近距離無線通信機能が搭載されており、これらを利用した様々なサービスが展開されている。
【０００３】
例えば、無線ＬＡＮ技術を用いて、お店の近くを通りかかった人に向けて自動的に店舗情報の配信を行うサービスがある。このようなサービスを利用することで、利用者は特別に意識することなく自身の周辺情報を受動的に手に入れることができ、移動するたびに自ら周辺情報を検索する手間を省くことができる。
【０００４】
また、近距離で情報を交換する方法として、特許文献１には、年齢や所属、趣味などの個人情報を用いてマッチングを行い、近くにいる不特定多数の人々と情報を交換する方法が記載されている。特許文献１の技術を用いることで、相手の氏名やメールアドレスを知らなくとも、気の合いそうな他者と情報を交換することが可能となる。
【先行技術文献】
【特許文献】
【０００５】
【特許文献１】特開２００４−２８２１５８号公報
【発明の概要】
【発明が解決しようとする課題】
【０００６】
しかしながら、従来の近距離無線通信技術を用いたサービスでは、近距離にいる不特定多数の人々には情報を送信することができるものの、目の前にいる任意の他者（氏名や連絡先等を全く知らない人）を指定して情報を送信することはできないという問題があった。特許文献１の技術では、自分と同じ趣味を持つ誰かと情報を交換することはできるが、「電車のなかで向かいの席に座っている人」や「今、目の前に通りかかった人」などといった、物理的な距離の近さ以外に接点のない他者を指定して情報を送信することはできない。
【０００７】
また、特許文献１の技術では、個人情報として利用者の氏名や趣味などを登録し、利用者の定めるポリシーに従って相手に公開するが、ポリシーを定めたとしても見ず知らずの人々に向けて個人情報を公開するリスクは少なからず存在する。
【０００８】
本発明は、上記に鑑みてなされたものであり、ユーザ情報を用いることなく近距離にいる任意の他者に対して情報を送信することを目的とする。
【課題を解決するための手段】
【０００９】
第１の本発明に係る情報送信装置は、ユーザＩＤと当該ユーザＩＤで特定される利用者の現在地とをユーザ情報として格納したユーザ情報蓄積手段と、送信者がメッセージを送信したい相手に異なる２方向から端末を向けて取得した２セットの位置情報と方位情報を受信し、前記位置情報が示す地理座標を通り前記方位情報が示す方位に伸びる２本の直線の交点の地理座標を求めて、前記ユーザ情報蓄積手段から前記交点の地理座標に近い現在地の利用者を示す第１ユーザＩＤを検索するユーザ特定手段と、前記第１ユーザＩＤと前記送信者を示す第２ユーザＩＤとの組み合わせに対してセッションＩＤを生成し、第１，第２ユーザＩＤと前記セッションＩＤと当該セッションＩＤを送信先として指定されたメッセージを最後に受信した日時を示す最終更新日時情報を含むセッション情報をセッション情報蓄積手段に格納するセッション生成手段と、前記セッションＩＤを送信先として指定されたメッセージを受信したときに、当該セッションＩＤを含む前記セッション情報を前記セッション情報蓄積手段から検索し、前記セッション情報に含まれる前記第１，第２ユーザＩＤのうち前記メッセージの送信者でないほうに当該メッセージを送信するとともに、前記セッション情報に含まれる前記最終更新日時情報を更新する情報送信手段と、前記最終更新日時情報の示す日時が所定の期間以前の前記セッション情報を前記セッション情報蓄積手段から削除するセッション解放手段と、を有することを特徴とする。
【００１２】
第２の本発明に係る情報送信方法は、コンピュータによる情報送信方法であって、送信者がメッセージを送信したい相手に異なる２方向から端末を向けて取得した２セットの位置情報と方位情報を受信するステップと、前記受信するステップで受信した２セットの位置情報と方位情報から、前記位置情報が示す地理座標を通り前記方位情報が示す方位に伸びる２本の直線の交点の地理座標を求めるステップと、ユーザＩＤと当該ユーザＩＤで特定される利用者の現在地とをユーザ情報として格納したユーザ情報蓄積手段から前記交点の地理座標に近い現在地の利用者を示す第１ユーザＩＤを検索するステップと、前記第１ユーザＩＤと前記送信者を示す第２ユーザＩＤとの組み合わせに対してセッションＩＤを生成し、第１，第２ユーザＩＤと前記セッションＩＤと当該セッションＩＤを送信先として指定されたメッセージを最後に受信した日時を示す最終更新日時情報を含むセッション情報をセッション情報蓄積手段に格納するステップと、前記セッションＩＤを送信先として指定されたメッセージを受信したときに、当該セッションＩＤを含む前記セッション情報を前記セッション情報蓄積手段から検索し、前記セッション情報に含まれる前記第１，第２ユーザＩＤのうち前記メッセージの送信者でないほうに当該メッセージを送信するとともに、前記セッション情報に含まれる前記最終更新日時情報を更新するステップと、前記最終更新日時情報の示す日時が所定の期間以前の前記セッション情報を前記セッション情報蓄積手段から削除するステップと、を有することを特徴とする。
【００１３】
第３の本発明に係る情報送信プログラムは、上記情報送信装置の各手段としてコンピュータを動作させることを特徴とする。
【発明の効果】
【００１４】
本発明によれば、ユーザ情報を用いることなく近距離にいる任意の他者に対して情報を送信することができる。
【図面の簡単な説明】
【００１５】
【図１】本実施の形態におけるメッセージ送受信システムの構成を示す機能ブロック図である。
【図２】ユーザデータベースに格納される情報の例を示す図である。
【図３】セッションデータベースに格納される情報の例を示す図である。
【図４】メッセージデータベースに格納される情報の例を示す図である。
【図５】メッセージを送受信する処理の流れを示すシーケンス図である。
【図６】異なる２方向から送信相手に端末を向ける様子を示す図である。
【図７】異なる２方向から送信相手に端末を向けて取得した位置情報と方位情報の２セットから交点の地理座標を求める様子を説明する図である。
【発明を実施するための形態】
【００１６】
以下、本発明の実施の形態について図面を用いて説明する。
【００１７】
図１は、本実施の形態におけるメッセージ送受信システムの構成を示す機能ブロック図である。本実施の形態におけるメッセージ送受信システムは、メッセージ送受信装置１と複数の端末２Ａ，２Ｂ，・・・，２Ｚを備える。メッセージ送受信装置１は、端末２Ａ，２Ｂ，・・・，２Ｚから送信された位置情報と方位情報に基いて送信相手の端末２Ａ，２Ｂ，・・・，２Ｚを特定し、端末２Ａ，２Ｂ，・・・，２Ｚ間のメッセージの送受信を中継する。端末２Ａ，２Ｂ，・・・，２Ｚは、利用者が携帯する移動体通信端末であり、メッセージの作成・閲覧、位置情報（緯度、経度など端末の現在地情報）及び方位情報（端末の向き）の取得、およびメッセージ送受信装置１との間での通信が可能である。以下、メッセージ送受信装置１について説明する。
【００１８】
メッセージ送受信装置１は、ユーザ管理部１１、メッセージ処理部１２、セッション管理部１３、ユーザデータベース（ＤＢ）１４、セッションＤＢ１５、およびメッセージＤＢ１６を備える。メッセージ送受信装置１が備える各部は、演算処理装置、記憶装置等を備えたコンピュータにより構成して、各部の処理がプログラムによって実行されるものとしてもよい。このプログラムはメッセージ送受信装置１が備える記憶装置に記憶されており、磁気ディスク、光ディスク、半導体メモリ等の記録媒体に記録することも、ネットワークを通して提供することも可能である。
【００１９】
ユーザ管理部１１は、ログイン機能１１１および位置情報更新部１１２を備える。
【００２０】
ログイン機能１１１は、端末２Ａ，２Ｂ，・・・，２ＺからユーザＩＤとパスワードを受信してログイン処理を行う。ログインに成功した場合、ユーザＤＢ１４にログイン日時を保存する。利用者は、端末２Ａ，２Ｂ，・・・，２Ｚを用いてログインすることにより、他の端末２Ａ，２Ｂ，・・・，２Ｚとの間でメッセージの送受信が可能となる。
【００２１】
位置情報更新部１１２は、端末２Ａ，２Ｂ，・・・，２ＺからユーザＩＤと位置情報を受信して、ユーザＤＢ１４の該当ユーザＩＤのデータの現在地に受信した位置情報を格納するとともに、位置情報の更新日時を格納する。端末２Ａ，２Ｂ，・・・，２Ｚは、本メッセージ送受信システムにログインしている間、端末２Ａ，２Ｂ，・・・，２Ｚが備えるＧＰＳ機能により取得した位置情報を定期的に自動で送信する。
【００２２】
図２に、ユーザＤＢ１４に格納される情報の例を示す。同図に示す例では、ユーザＩＤ、ログイン日時、現在地、および更新日時が格納されている。利用者が端末２Ａ，２Ｂ，・・・，２Ｚを用いてログインすることで、その利用者のユーザＩＤを有するデータに、ログイン日時、現在地、および更新日時が格納される。利用者がログアウトしたときには該当するデータからログイン日時、現在地、および更新日時が削除される。
【００２３】
メッセージ処理部１２は、送信相手特定機能１２１、メッセージ送受信機能１２２、およびメッセージ検索機能１２３を備える。
【００２４】
送信相手特定機能１２１は、送信者となる利用者Ａの端末２Ａから位置情報と方位情報のセットを２セット受信し、受信した２セットの位置情報と方位情報から送信相手が存在するであろう地理座標を算出し、算出した地理座標に最も距離の近い現在地のユーザＩＤをユーザＤＢ１４から検索して受信者となる利用者Ｂを特定する。２セットの位置情報と方位情報から送信相手が存在する地理座標を算出する処理の詳細については後述する。
【００２５】
メッセージ送受信機能１２２は、送信相手特定機能１２１により受信者が特定されたときに、送信者（利用者Ａ）と受信者（利用者Ｂ）の関係性を管理するセッションＩＤを生成し、セッションＤＢ１５にセッションＩＤ、利用者Ａと利用者ＢのユーザＩＤの組みを保存した上で、セッションＩＤに基づいて利用者Ａ，Ｂの間のメッセージの送受信を処理する。セッションＩＤは、メッセージの送信先として用いられる。
【００２６】
図３に、セッションＤＢ１５に格納される情報の例を示す。同図に示す例では、セッションＩＤ、送信者と受信者のユーザＩＤの組み、セッションの作成日時、および最終更新日時が格納されている。最終更新日時は、該当するセッションＩＤを送信先として指定されたメッセージをメッセージ送受信装置１が最後に受信した日時である。メッセージ送受信機能１２２は、メッセージの送信先として指定されたセッションＩＤをセッションＤＢ１５から検索し、受信者のユーザＩＤを取得する。メッセージを送受信する処理の詳細については後述する。
【００２７】
メッセージ検索機能１２３は、利用者からの問い合わせに合致するメッセージの送受信履歴をメッセージＤＢ１６から取得して返却する。メッセージ送受信機能１２２を介して送受信されたメッセージの送受信履歴はメッセージＤＢ１６に蓄積される。
【００２８】
図４に、メッセージＤＢ１６に格納される情報の例を示す。同図に示す例では、メッセージＩＤ、メッセージの送受信に用いられたセッションＩＤ、送信者のユーザＩＤ、受信者のユーザＩＤ、メッセージ内容、およびメッセージの作成日時が格納されている。メッセージＩＤは送受信されたメッセージの識別子である。
【００２９】
メッセージ検索機能１２３は、利用者からユーザＩＤと検索条件を受信すると、送信者あるいは受信者にユーザＩＤを含み、かつ検索条件に合致する送受信履歴をメッセージＤＢ１６から検索する。検索条件としては、例えばメッセージ内容に含まれるキーワードや作成日時などを指定できる。検索条件が指定されていない場合、メッセージ検索機能１２３は、送信者あるいは受信者にユーザＩＤを含むすべての送受信履歴をメッセージＤＢ１６から取得する。メッセージ検索機能１２３は、メッセージＤＢ１６から取得した送受信履歴のうち、セッションＩＤ、メッセージ内容、および作成日時を利用者の端末へ送信する。
【００３０】
セッション管理部１３は、セッション解放機能１３１を備える。
【００３１】
セッション解放機能１３１は、セッションＤＢ１５に格納されているデータの最終更新日時を定期的に確認し、所定の時間以上メッセージの送受信が行われなかったセッションのデータをセッションＤＢ１５から削除する。
【００３２】
次に、メッセージを送受信する処理について説明する。
【００３３】
図５は、メッセージを送受信する処理の流れを示すシーケンス図である。同図では、利用者Ａが近くにいる利用者Ｂへメッセージを送信し、利用者Ｂが利用者Ａへメッセージを返信する例について説明する。利用者Ａ，Ｂともにメッセージ送受信装置１にログインしており、ユーザＤＢ１４の現在地の情報は定期的に更新されているものとする。
【００３４】
利用者Ａは、異なる２方向から、メッセージを送信したい送信相手である利用者Ｂへ端末２Ａを向け、２方向分の位置情報と方位情報を端末２Ａに記録する（ステップＳ１０１）。利用者Ｂは、利用者Ａの近距離で目の届く範囲にいることを前提としているので、利用者Ａは、位置を移動しなくても、端末２Ａを持つ手の位置を変えて位置情報と方位情報を２回取得すればよい。位置情報と方位情報は、端末２Ａに内蔵されているＧＳＰセンサや磁気センサを用いて取得する。
【００３５】
２方向分の位置情報と方向情報を取得すると、端末２Ａは、利用者ＡのユーザＩＤと２方向分の位置情報と方位情報のセットをメッセージ送受信装置１へ送信する（ステップＳ１０２）。
【００３６】
送信相手特定機能１２１は、利用者ＡのユーザＩＤと２方向分の位置情報と方位情報を受信すると、各位置情報と方位情報について位置情報が示す地理座標を通り方位情報が示す方位に伸びる直線を生成し、生成した２本の直線の交点の地理座標を算出する（ステップＳ１０３）。
【００３７】
そして、算出した地理座標に最も近い現在地のデータをユーザＤＢ１４から検索し、ユーザＤＢ１４から受信者となる利用者ＢのユーザＩＤを取得する（ステップＳ１０４）。
【００３８】
メッセージ送受信機能１２２は、利用者Ａと利用者Ｂの関係性を管理するためのセッションＩＤを新たに生成して、セッションＩＤ、利用者Ａと利用者ＢのユーザＩＤ、および作成日時をセッションＤＢ１５に保存し、生成したセッションＩＤを端末２Ａに送信する（ステップＳ１０５）。
【００３９】
利用者Ａは、端末２Ａを用いてメッセージを作成し（ステップＳ１０６）、メッセージ送受信装置１から受信したセッションＩＤ、利用者ＡのユーザＩＤ、作成したメッセージ内容、および作成日時を含むメッセージをメッセージ送受信装置１へ送信する（ステップＳ１０７）。このとき、利用者Ａの端末２Ａには、セッションＩＤは知らされているが、利用者ＢのユーザＩＤは知らされていないので、メッセージの送信先としてセッションＩＤを指定する。なお、メッセージ内容は、例えば文字情報や画像情報などのデジタル情報である。
【００４０】
メッセージ送受信機能１２２は、端末２Ａからメッセージを受信すると、メッセージの送信先であるセッションＩＤをセッションＤＢ１５から検索し、該当するデータの最終更新日時を更新するとともに、メッセージの受信者である利用者ＢのユーザＩＤを取得する（ステップＳ１０８）。
【００４１】
また、メッセージ送受信機能１２２は、端末２Ａから受信したメッセージをメッセージＤＢ１６に保存する（ステップＳ１０９）。メッセージＤＢ１６には、セッションＩＤ、送信者のユーザＩＤ、受信者のユーザＩＤ、メッセージ内容、および作成日時にメッセージＩＤが付与されて保存される。
【００４２】
そして、メッセージ送受信機能１２２は、セッションＩＤ、メッセージ内容、および作成日時を含むメッセージを利用者Ｂの端末２Ｂへ送信する（ステップＳ１１０）。
【００４３】
利用者Ｂの端末２Ｂでメッセージが受信される（ステップＳ１１１）。利用者Ｂは、端末２Ｂを用いて利用者Ａが送信したメッセージを閲覧できる。このとき、利用者Ｂの端末２Ｂには、セッションＩＤは知らされるが、送信者である利用者ＡのユーザＩＤは知らされない。利用者Ｂは、受信したメッセージに含まれるセッションＩＤを送信先とすることで、利用者Ａに対してメッセージを返信することができる。
【００４４】
利用者Ｂがメッセージを利用者Ａに返信する場合は、端末２Ｂを用いてメッセージを作成し（ステップＳ１１２）、メッセージ送受信装置１から受信したメッセージに含まれるセッションＩＤ、利用者ＢのユーザＩＤ、作成したメッセージ内容、および作成日時を含むメッセージをメッセージ送受信装置１へ送信する（ステップＳ１１３）。
【００４５】
メッセージ送受信機能１２２は、端末２Ｂからメッセージを受信すると、ステップＳ１０８〜Ｓ１１０の処理と同様に、受信したメッセージに含まれるセッションＩＤをセッションＤＢ１５から検索して最終更新日時を更新するとともに、メッセージの送信先となる利用者ＡのユーザＩＤを取得し（ステップＳ１１４）、端末２Ｂから受信したメッセージをメッセージＤＢ１６に保存し（ステップＳ１１５）、セッションＩＤ、メッセージ内容、作成日時を含むメッセージを利用者Ａの端末２Ｂへ送信する（ステップＳ１１６）。
【００４６】
そして、利用者Ａの端末２Ａでメッセージが受信されて（ステップＳ１１７）、利用者Ａは、端末２Ａを用いて利用者Ｂが返信したメッセージを閲覧できる。
【００４７】
これ以降も、セッションＩＤが有効である間は、利用者Ａ，Ｂ間でメッセージを送受信することが可能である。セッション解放機能１３１によりセッションのデータが削除されるとセッションＩＤが無効となり、利用者Ａ，Ｂ間でメッセージを送受信することができなくなる。
【００４８】
次に、２セットの位置情報と方位情報から送信相手が存在する地理座標を算出する処理について説明する。
【００４９】
本実施の形態では、図６に示すように、送信者がメッセージを送信したい送信相手に対して異なる２方向から端末２Ａを向けて位置情報と方位情報を取得することにより、近距離にいる複数の他者のなかから、交点Ｑの近くにいる他者を受信者として選択する。図６では、点Ｐ１と点Ｐ２の２つの位置から送信相手に端末２Ａを向けている。このとき、１方向から端末２Ａを送信相手に向けた直線上にいる他者を受信者として選択することは可能であるが、受信者を１人に特定できない可能性があることや、精度向上につながることから、本実施の形態では、異なる２方向から端末２Ａを向けて位置情報と方位情報を２セット取得する。
【００５０】
ここで、点Ｐ１の地理座標を（ａ１，ｂ１）、点Ｐ１において端末２Ａを送信相手に向けた方向の緯線に対する角度をθ１とする。同様に、点Ｐ２の地理座標を（ａ２，ｂ２）点Ｐ２において端末２Ａを送信相手に向けた方向の緯線に対する角度をθ２とする。図７のように、Ｘ軸を経度、Ｙ軸を経度とした平面地図を考えると、点Ｐ１，Ｐ２それぞれから端末２Ａを向けた方向に伸びる２つの直線Ｌ１，Ｌ２は、次式で表すことができる。
【数１】
0006043691.tif 000002
【００５１】
２本の直線Ｌ１，Ｌ２の交点Ｑの地理座標（Ｘ，Ｙ）は、上記の連立方程式を解くことにより、次式で表すことができる。
【数２】
0006043691.tif 000003
【００５２】
このようにして、２セットの位置情報と方位情報から交点Ｑの地理座標を算出し、算出した地理座標に最も近い現在地にいる利用者をユーザＤＢ１４から検索することで、送信相手を特定する。
【００５３】
以上説明したように、本実施の形態によれば、メッセージ送受信装置１が、送信者がメッセージを送受したい相手に異なる２方向から端末を向けて取得した２セットの位置情報と方位情報を受信し、受信した位置情報と方位情報を用いて受信者を特定してメッセージを送信することで、送信者は受信者の氏名や連絡先などを知ることなく、近距離にいる他人に対してメッセージを送信することが可能となる。
【００５４】
本実施の形態によれば、セッションＤＢ１５において送信者と受信者をセッションＩＤで管理しておき、セッションＩＤを送信先に指定することで、時間が経過したり、場所が移動したとしても継続してメッセージを交換することが可能となる。
【００５５】
本実施の形態によれば、所定の期間以上メッセージが送受信されていないセッションを削除することで、関係性の薄れた利用者からメッセージが送信されることを防ぐことができる。
【符号の説明】
【００５６】
１…メッセージ送受信装置
１１…ユーザ管理部
１１１…ログイン機能
１１２…位置情報更新部
１２…メッセージ処理部
１２１…送信相手特定機能
１２２…メッセージ送受信機能
１２３…メッセージ検索機能
１３…セッション管理部
１３１…セッション解放機能
１４…ユーザＤＢ
１５…セッションＤＢ
１６…メッセージＤＢ
２Ａ，２Ｂ，２Ｚ…端末
【図１】
0006043691.tif 000004
【図２】
0006043691.tif 000005
【図３】
0006043691.tif 000006
【図４】
0006043691.tif 000007
【図５】
0006043691.tif 000008
【図６】
0006043691.tif 000009
【図７】
0006043691.tif 000010